(57)【要約】【課題】  夏季には無くてはならない網戸も、夏季以外には埃がつきやすく、人の出入りにはかえって邪魔になるため、やっかいな代物と化していた。一方、近年アレルギーに悩む人が増え、特に花粉症は国民病といわれるまで患者が増大し、その対策は患者にとって切実な問題となっている。また春先には、地球温暖化や砂漠化の影響で、中国から多量の黄砂が飛来し健康に影響を及ぼすようになってきた。【解決手段】  メッシュの大小にかかわりなく、あらゆる網やネットを簡単に装着、とりはずすことができる機構により、春秋の花粉が飛ぶ時期にはメッシュの細かな花粉用ネットを張り、花粉や黄砂の室内への侵入を防止し、また虫の活動が活発な夏には比較的メッシュの粗い通風性の良い防虫網に張り替えることにより、晩冬から晩秋まで長期にわたり網戸を活用でき、季節に応じて快適な住空間を提供する。【選択図】  図１
2005232892.tif 000002
【特許請求の範囲】
【請求項１】
花粉対策用ネットと防虫網を季節と用途に応じて張り替えて使用する網戸。
【請求項２】
額縁状の枠にマジックテープ等で一旦網をとりつけ、その網とりつけ用フレームを網戸サッシに固定する網戸で、その網とりつけ用フレームが工作用カッター程度の簡単な道具で任意の形、寸法に切れる網戸。
【請求項３】
網とりつけ用フレームをサッシの網をとめるゴム穴を利用してはりつける網戸。
【請求項４】
鍵穴状のフックとボタンの間に網を挟み込んでとめる網戸。
【請求項５】
ホックの間に網を挟み込んでとめる網戸。
【請求項６】
サッシや網とりつけ用フレームの表面に凹状の窪みを設け、凹状の窪み幅より少し長い幅を持つ、弾力のある細長い薄い板の長辺側を窪みに押しあて、中央部が上に盛り上がった状態にして、その反発力で網を上からとめる網戸。
【請求項７】
サッシの内辺側面にサッシ面に沿って深い切り込みを設け、弾力ある棒状あるいはパイプ状のとめ具でその切り込みに網を押し込み、網を固定する網戸。
【請求項８】
網とりつけ用フレームに、コルクやスポンジ状の柔らかい樹脂製の薄い板あるいは厚手の硬い布を両面メンテープでとめ、上から押しピンや無数の針が突き出た構造をもつテープで網をとめる網戸。
【請求項９】
マジックテープの雄側同士で網をとめる網戸
【発明の詳細な説明】
【技術分野】
【０００１】
本発明は、戸建あるいはマンション、その他の住居、倉庫等人が居住する住居あるいは居住しない建物で、網戸のネットを張り替えることにより、花粉や黄砂が飛ぶ時期には花粉や黄砂が屋内に入り込むのを防止し、蚊やハエの活動が活発な時期には虫の侵入を防止するために用いる網戸に関する。
【背景技術】
【０００２】
従来の網戸においては、ハエや蚊が室内に侵入するのを防止するのが目的のため、年間を通しても有効に使用されるのは夏季の数ヶ月のみで、それ以外の季節は不要な代物であった。
【０００３】
一方花粉症患者の増大から、花粉が室内に入り込むのを防止する有効な対策がまたれていた。
【０００４】
さらに地球温暖化や砂漠化の影響で、春先には中国から多量の黄砂が飛来するようになり、健康への影響が懸念されるようになってきた。
【発明の開示】
【発明が解決しようとする課題】
【０００５】
従来の網戸は、蚊やハエが室内に入ってこないようにするのが唯一の目的であったので、夏以外にはあまり使用されることがなく、埃がつき清潔でないばかりか、戸の開閉や人の出入りにはかえって邪魔な存在であった。
【０００６】
一方近年春先や秋には樹木や植物の花粉によるアレルギーに悩まされる人が増えており、花粉が室内に侵入しない対策が望まれてきた。
【０００７】
また地球温暖化や砂漠化の影響で、春先には日本にも中国からの黄砂が従来にも増して数多く飛来し、室内を細かな砂で汚したり、呼吸とともに小さな砂を肺に吸い込んで、健康にも害を与えるようになってきた。
【課題を解決するための手段】
【０００８】
上記目的を解決するため、本発明の網戸においては春や秋の花粉が飛ぶ季節には花粉を通さない、メッシュの細かなネットを、蚊やハエがでる夏には虫は通さないが風は良く通す比較的メッシュの粗い防虫網を張替えて使用できる構造をしている。
【発明の効果】
【０００９】
本発明は、以下に記載する効果を奏する。
【００１０】
従来の網戸ではその使用時期は、ハエや蚊の多い夏のみで、その他の季節にはかえって邪魔な存在であったが、花粉用ネットと防虫網を張り替えて使用することにより、網戸を使用する期間を夏の間は勿論、花粉が飛び始める冬の終わりからブタクサのように秋に花粉を撒き散らす晩秋まで１年を通じて幅広く活用できる。
【００１１】
現在使用している網戸サッシをそのまま利用して、ネットを張りかえるだけで花粉や黄砂が室内に入り込まないよう対策ができる。
【００１２】
ホックや鍵穴状フックを使用しているので、花粉対策用ネットのようにメッシュの細かい網から防虫網のように比較的目の粗い網まであらゆる網やネットをとめることができる。
【００１３】
従来網戸ではサッシに刻まれた細長い溝に網をゴムパイプで押し付けて固定していたが、網取り付け用フレームはその溝に取り付けられる構造をしているため、新旧のほぼ全ての網戸サッシに本発明は適用が可能である。
【００１４】
ホックや鍵穴状フックで網を挟み込んでとめる構造のため、網の着脱が簡単であり、ピンと張った状態で網をはる作業も簡単にでき、汚れた時の洗濯も容易である。
【００１５】
ホックや鍵穴状フックで網を挟み込んでとめる構造のため、細かい模様を編みこむと必然的にメッシュが細かくなるが、そのような複雑なメッシュの防虫網でも簡単に網をとめることができ、従来無味乾燥な網戸を美しい刺繍の入ったインテリアとしても楽しむことができる。
【００１６】
網取り付け用フレームは樹脂あるいはアルミのような薄くて柔らかい金属でできているので、工作用カッター等で任意の寸法と形に切ることができ、どのような寸法の網戸サッシにも対応できる。
【００１７】
網は網取り付け用フレームに張り付けるので、最も注意を要する網張り作業は窓から離れて、室内等安全な場所で行うことができる。この網を装着した網取り付け用フレームを網戸サッシにとりつけるだけなので、ベランダ等作業場所のない高い階での作業が安全に行える。
【発明を実施するための最良の形態】
【００１８】
発明の実施の形態を図面に基づき説明する。
【００１９】
図１の防虫網または花粉用ネット（３）は簡単に取り付け、取り外しができる構造をしており、かつまた網のメッシュにかかわらずあらゆる網やネットをとめることができるので、花粉や黄砂の侵入を防止するためのメッシュの細かいネットから、ハエや蚊用の比較的粗いメッシュの防虫網まで、同じ網戸サッシを使って網を張り替えるだけで花粉症対策から虫除けまでの機能を実現することができる。
【００２０】
季節や目的に応じて、例えば春先にはメッシュの細かい花粉用ネットをはり、花粉や黄砂が室内に侵入するのを防止し、夏には比較的メッシュの粗い防虫網に張り替えれば、風通しもよく虫も避けることができ、従来夏場だけの物であった網戸を、冬の終わりから晩秋まで長期にわたって網戸を使用することができる。
【００２１】
防虫網または花粉用ネット（３）は直接網戸サッシ（１）にとりつけることもできるが、図１に示すように、取り付けのための種々の機構を隠す、いわば化粧板の役目も果たす網戸取り付け用フレーム（２）の周囲に貼り付ける。こうすることにより、作業の楽な場所、例えば室内で防虫網または花粉用ネット（３）をピンと張った状態で網戸取り付け用フレーム（２）に固定することができ、次にこの網が張られた状態で網戸取り付け用フレーム（２）を網戸サッシ（１）に固定すれば、網の取り付け作業が簡単にしかも安全に行うことができる。この方法はベランダ等の作業場所が確保できない２階以上の高い階での作業に特に効果を発揮する。
【００２２】
図２は網戸取り付け用フレーム（２）を網戸サッシ（１）に取り付ける方法の一例を示している。現在広く使用されている網戸は、細長いパイプ状のゴムで網取り付け用ゴム穴（６）に網を押し込んで網を固定している。Ｓ型金具（７）で、網戸取り付け用フレーム（２）を網取り付け凸部（５）に固定することにより、現在使用している網戸にも本発明が適用できる。
【００２３】
図３にＳ型金具（７）の詳細を示す。回転機構（８）により、網戸取り付け用フレーム（２）をＳ型金具（７）に簡単に取り付けることができる。網戸によっては、網取り付け凸部の寸法が異なるため、スリット（１０）とネジ（１１）により調節できる構造をしており、どのような網戸にも対応できるよう考慮されている。
【００２４】
図４は網取り付け用ゴム穴（６）自体を利用して、網戸取り付け用フレーム（２）を固定する方法を示している。パイプ状のゴムまたは弾力のある円筒でできた、網取り付けフレーム固定具（１２）を網戸取り付け用フレーム（２）の表面にネジあるいは接着剤で取り付け、これを網取り付け用ゴム穴（６）に押し込んで網取り付け用フレーム（２）を固定する。現在広く市販されている網戸のほとんどは、この網取り付け用ゴム穴（６）を持った構造をしているので、網取り付けフレーム固定具（１２）の直径の寸法を変えるだけでほぼ全ての市販の網戸に対応できる利点がある。
【００２５】
図４の網固定用テープ（９）は防虫網または花粉用ネット（３）を網戸取り付け用フレーム（２）にとめる構造を概念的に表現したもので、具体的にはマジックテープでとめたり、コルクやスポンジ状の柔らかい樹脂製の薄い板や厚手の布テープに、押しピンや無数の針が突き出た構造をもつテープでとめたり、あるいは以下に詳細説明する図６、図７、図９、図１０の方法のいずれかでとめる。
【００２６】
図５は網戸取り付け用フレーム（２）の構造と網戸取り付けフレーム固定具（１２）の取り付け方法の一例を示している。網戸取り付けフレーム固定具（１２）は図５に示すようにコの字型をした一体構造をしており、風等により飛ばされて事故が起こらないように考慮されており、防虫網または花粉用ネット（３）を内側に挟み込む形で固定する。
【００２７】
接着プレート（１３）を両面テープで、網戸取り付け用フレーム（２）に貼り付け、接着プレート（１３）の耳の部分を網戸取り付けフレーム固定具（１２）のパイプ内に折り返せば網戸取り付けフレーム固定具（１２）を網戸取り付け用フレーム（２）に簡単に固定することができる。
【００２８】
図６は鍵穴状フック（１４）で網をとめる方式を示している。針金あるいは樹脂でできた鍵穴状のフックに網を押し当て、その上から樹脂等の柔らかい材質でできたフック用ボタン（１７）を台形部から円形部へ押し下げながら網を固定する。
【００２９】
フック用ボタン（１７）の頭の部分に小さなマジックテープを貼り付け、網戸取り付け用フレーム（２）を重ね合わせた時にフック用ボタン（１７）に該当する部分にもマジックテープを貼り付けておけば、網戸取り付け用フレーム（２）を重ね合わせた時にこのマジックテープ同士でしっかり固定される。
【００３０】
網戸取り付け用フレーム（２）にピン（１５）を取り付け、鍵穴状フック（１４）にあけられたピン固定用穴（１６）にピン（１５）を差し込み鍵穴状フック（１４）を容易に固定することができる。網戸取り付け用フレーム（２）の折りたたむ側にも、ピン（１５）に対応する位置に、ピン（１５）より少し直径の大きな穴を開けておき、網戸取り付け用フレーム（２）を重ね会わせた時に２枚の板でピン（１５）が固定されるようにして、ピン（１５）の強度を増すようにしている。
【００３１】
鍵穴状フック（１４）の固定はピンでなくとも、例えば網戸取り付け用フレーム（２）に予め適当な形の突起を設けておき、その突起に鍵穴状フック（１４）を引っ掛ける方式でとめても良い。
【００３２】
このピン（１５）を固定する穴や突起を、網戸取り付け用フレーム（２）の長さ方向に沿って一列にいくつか設置しておけば、窓やドアの寸法にあわせて、網戸取り付け用フレーム（２）を自由に切っても、容易に鍵穴状フックを必要な数だけ、必要な位置にとりつけることができる。
【００３３】
網戸取り付け用フレーム（２）を成型する時に、網戸取り付け用フレーム（２）自体に、その長さ方向に沿っていくつも鍵穴状の穴を予め開けておけば鍵穴状フック（１４）の代用とすることができ、鍵穴状フック（１４）を取り付ける手間隙が省略できる。
【００３４】
図７と図８はホックで網をとめる方式を示している。網戸取り付け用フレーム（２）の長さ方向に沿って一列に、ホック雄（１８）より少し大きめの直径を持つ円筒の穴をいくつかあけておき、ホック雄（１８）をその穴に押し込んで両面テープか接着剤で固定する。
【００３５】
いくつか穴を開けておく理由は、網戸取り付け用フレーム（２）を窓やドアの大きさにあわせて任意の長さに切った場合でも適当な場所の穴にホック雄（１８）をいくつか固定して、全体として網を美しく張れるようにするためである。
【００３６】
網戸取り付け用フレーム（２）の折りたたむ側にも対称的に穴を開けておき、ホック雌（１９）で網を固定した上から網戸取り付け用フレーム（２）を重ねれば、ホックの雄雌が網戸取り付け用フレーム（２）に開けられた穴にすっぽり覆われて例え網がホックを引っ張ったとしても、ホック雄（１８）が取れることがない。
【００３７】
網をピンと引っ張りながら、ホック雌（１９）で網をホックに挟み込んでとめれば
網が綺麗にしかも簡単に固定することができる。ホック雌（１９）の頭にマジックテープを貼り付けておき、ホック雌（１９）の位置に対応する網戸取り付け用フレーム（２）側にもマジックテープを貼り付けておけば、網戸取り付け用フレーム（２）を重ね合わせたとき容易に開かないようにすることができる。
【００３８】
図９は樹脂やアルミ等弾性のある薄い板で網をとめる方式を示している。図９に示すようにサッシまたは網戸取り付け用フレーム（２２）に凹状の窪みをつけてその窪みに網押さえ板（２１）を弓なりにしならせて、その反発力で防虫網または花粉用ネット（３）を固定する。
【００３９】
図１０は網戸サッシ（１）の内辺側側面に切り込み（２４）を入れ、防虫網または花粉用ネット（３）をゴム等の弾力ある素材でできた細長い網押さえ棒（２３）で切り込み（２４）に埋め込む方式でとめる方法である。防虫網または花粉用ネット（３）の余分な部分を切り込み（２４）の中に隠せるので、防虫網または花粉用ネット（３）を窓寸法にあわせて任意に切ることができる。
【実施例】
【００４０】
マジックテープで網をとめる場合、メッシュが細かくなると実際問題として、とめることが困難になることが実験的に判明した。メッシュが細かくなる模様入りの防虫網でもマジックテープでとめることは困難で、マジックテープの雄と雄でとめる方が雄雌の組み合わせでとめるより、とめやすいことも明かになった。  いずれにせよ花粉用ネットの場合は、通常のマジックテープでとめるのは不可能である。
【産業上の利用可能性】
【００４１】
近年種々のアレルギー体質の人が増えてきており、特に花粉症患者は急増している。本発明は網戸の網を張り替えるだけで、簡単に対花粉症対策ができるので、花粉症患者にとっては朗報である。
【００４２】
更に地球温暖化や砂漠化の進行で、中国から飛来する黄砂が増大しており、花粉用ネットを使用して、黄砂や粉塵が室内に侵入するのを防止し、健康に害を与えることを予防でき、時代のニーズにマッチしている。
【００４３】
また繊維業界にとっても、花粉症対策用生地という新規の需要を増大させることができ、市場を活性化する要因となる。
【図面の簡単な説明】
【００４４】
【図１】防虫網または花粉用ネットと網戸取り付け用フレームの網戸サッシへの取り付け図面である。
【図２】Ｓ型金具による網戸取り付け用フレームの網戸サッシへの取り付け断面図である。
【図３】Ｓ型金具の構造図である。
【図４】網取り付け用ゴム穴を利用して、網戸取り付け用フレームを網戸サッシにとりつける図面である。
【図５】網戸取り付け用フレームの構造図である。
【図６】鍵穴状フックの図面である。
【図７】ホックの構造図である。
【図８】ホック固定穴の図面である。
【図９】網押さえ板による取り付け図面である。
【図１０】サッシ切り込みによる図面である。
【符号の説明】
【００４５】
１  網戸サッシ
２  網取り付け用フレーム
３  防虫網または花粉用ネット
４  サッシ枠断面
５  網取り付け凸部
６  網取り付け用ゴム穴
７  Ｓ型金具
８  回転機構
９  網固定用テープ
１０  スリット
１１  ネジ
１２  網取り付けフレーム固定具
１３  接着プレート
１４  鍵穴状フック
１５  ピン
１６  ピン固定用穴
１７  フック用ボタン
１８  ホック雄
１９  ホック雌
２０  ホック固定穴
２１  網押さえ板
２２  サッシまたは網取り付け用フレーム
２３  網押さえ棒
２４  切り込み
【図１】
2005232892.tif 000003
【図２】
2005232892.tif 000004
【図３】
2005232892.tif 000005
【図４】
2005232892.tif 000006
【図５】
2005232892.tif 000007
【図６】
2005232892.tif 000008
【図７】
2005232892.tif 000009
【図８】
2005232892.tif 000010
【図９】
2005232892.tif 000011
【図１０】
2005232892.tif 000012